(57)【要約】【課題】コンタクト及びケーブルの芯線の接続固定時にインピーダンスが低下されず、十分に安定した結線機能，抜け止め機能を持つコネクタを提供する。【解決手段】このコネクタ１０の場合、２枚のフラットケーブル２における各芯線２ａをカバーインシュレータ４に形成した略コ字状の各溝部６の壁面に這わせ、各コンタクト１における略コ字状の結線部１ｂにより各芯線２ａを溝部６の壁面との間で挟持して接続するとき、弾性を有する結線部１ｂに形成された凸部１ｃがカバーインシュレータ４における溝部６の壁面に形成された凹部４ａに食い込むように芯線２ａの局部を変形させて嵌合接続保持され、更に、各コンタクト１のピン状の接触部１ａを挿入するための挿入孔が設けられたベースインシュレータ３における各挿入孔に各コンタクト１の接触部１ａが挿入されるようにベースインシュレータ３を押し込んで圧入して組み立てられる。【選択図】図４
2008077952.tif 000002
【特許請求の範囲】
【請求項１】
コンタクトを保持するハウジングに対してケーブルを保持するインシュレータを組み付けた状態で該コンタクトに該ケーブルの芯線が接続固定される構造のコネクタにおいて、前記コンタクトは、前記ハウジングの開口部内に露呈されるように配備されて相手側コネクタとの接続に供される接触部と、前記インシュレータ先端側の開口部内に配備されて前記ケーブルの前記芯線との接続に供される結線部とを有し、前記インシュレータは、前記ケーブルの長さ方向に沿った側面方向における断面形状が略コ字状に突出するように形成されて該ケーブルの前記芯線が該略コ字状部分の壁面に沿うように配設される前記インシュレータ先端側の開口部としての溝部を有し、前記コンタクトにおける前記結線部は、前記溝部の壁面に沿うように延在して前記ケーブルの前記芯線と接触されるように略コ字状に形成されると共に、該略コ字状部分における対向する辺部の少なくとも一方に内側に向いた凸部を有し、前記インシュレータにおける前記溝部の壁面は、前記結線部における前記凸部の対応する箇所に前記ケーブルの前記芯線の局部を変形接触させる凹部を有することを特徴とするコネクタ。
【請求項２】
請求項１記載のコネクタにおいて、前記コンタクトにおける前記結線部の前記対向する辺部にあっての前記凸部を有する方は弾性を有することにより、該結線部と前記インシュレータにおける前記溝部の壁面との間で前記ケーブルの前記芯線を挟持する構造であることを特徴とするコネクタ。
【請求項３】
コンタクトを保持するハウジングに対してケーブルを保持するインシュレータを組み付けた状態で該コンタクトに該ケーブルの芯線が接続固定される構造のコネクタにおいて、前記コンタクトは、前記ハウジングの開口部内に露呈されるように配備されて相手側コネクタとの接続に供される接触部と、前記インシュレータ先端側の開口部内に配備されて前記ケーブルの前記芯線との接続に供される結線部とを有し、前記インシュレータは、前記ケーブルの長さ方向に沿った側面方向における断面形状が略コ字状に突出するように形成されて該ケーブルの前記芯線が該略コ字状部分の壁面に沿うように配設される前記インシュレータ先端側の開口部としての溝部を有し、前記コンタクトにおける前記結線部は、前記溝部の壁面に沿うように延在して前記ケーブルの前記芯線と接触されるように略コ字状に形成されると共に、該略コ字状部分における対向する辺部の少なくとも一方に内側に向いた凹部を有し、前記インシュレータにおける前記溝部の壁面は、前記結線部における前記凸部の対応する箇所に前記ケーブルの前記芯線の局部を変形接触させる凸部を有することを特徴とするコネクタ。
【請求項４】
請求項３記載のコネクタにおいて、前記コンタクトにおける前記結線部の前記対向する辺部にあっての前記凹部を有する方は弾性を有することにより、該結線部と前記インシュレータにおける前記溝部の壁面との間で前記ケーブルの前記芯線を挟持する構造であることを特徴とするコネクタ。
【請求項５】
請求項１〜４の何れか一つに記載のコネクタにおいて、前記コンタクトは、前記ハウジングにおける該コンタクトの長さ方向に沿った側面に対して垂直な幅方向へ所定の間隔で並設される所定数のものから成り、前記ケーブルは、前記インシュレータにおける該ケーブルの長さ方向に沿った側面に対して垂直な幅方向へ前記芯線として所定数のものを所定の間隔で並設させて結合して成るフラットケーブルであることを特徴とするコネクタ。
【請求項６】
請求項５記載のコネクタにおいて、前記ハウジングは、前記コンタクトの所定数のものを前記長さ方向及び前記幅方向に対して垂直な背高方向で前記結線部の前記略コ字状部分における頂辺部同士が所定の間隔で対向するように２段構造として備えて成り、前記インシュレータは、前記フラットケーブルにおける前記所定数の芯線をそれぞれ前記溝部の壁面を区画するために前記幅方向に設けられた所定数のスリット片同士間に形成されたスリット内で該溝部の壁面に這わせるようにして前記長さ方向及び該幅方向に対して垂直な背高方向で対向させて保持すると共に、前記溝部同士の前記略コ字状部分における頂壁面同士が該背高方向で向き合わされて成る２層構造であることを特徴とするコネクタ。
【請求項７】
請求項５又は６記載のコネクタにおいて、前記ハウジングの前記インシュレータに対する組み付けは、前記所定数のコンタクトにおける前記結線部により前記フラットケーブルにおける前記所定数の芯線をそれぞれ装着固定した後に外方へ露呈した状態の前記接触部を該ハウジングの所定箇所に設けられた挿入孔へそれぞれ圧入して行われることを特徴とするコネクタ。
【発明の詳細な説明】
【技術分野】
【０００１】
本発明は、主としてコンタクトを保持するハウジングに対してケーブル（フラットケーブル）を保持するインシュレータを組み付けた状態でコンタクトにケーブルの芯線が結線（接続固定）される構造のコネクタであって、詳しくはコンタクト及びケーブルの芯線の安定した接続固定が可能であり、インピーダンスが低下されずに十分に抜け止めを図り得る構造のコネクタに関する。
【背景技術】
【０００２】
近年、多信号線を持つフラットケーブル等に代表されるケーブルを対象として結線を行うコネクタにおいては、狭ピッチ化や高速伝送（差動伝送）に適した構造であることが要求されており、特にケーブル端末処理が比較的容易であって、シグナル・グランドを一括して結線できるツインナックス・ドレイン付きタイプのケーブルを結線できる構造のものが開発されている。
【０００３】
こうした狭ピッチ結線構造のケーブル用コネクタの周知技術としては、例えばピッチ毎にケーブルの芯線をスリット内の金属部に這わせてコンタクトにより挟み込む構造を有するもの（特許文献１，特許文献２参照）が挙げられる。
【０００４】
【特許文献１】特開２００１−２８２８２号公報（要約、図１３）
【特許文献２】特開２０００−２７７１９０号公報（要約、図１）
【発明の開示】
【発明が解決しようとする課題】
【０００５】
上述した特許文献１や特許文献２に開示されたケーブルの芯線をスリット内の金属部に這わせてコンタクトにより挟み込む構造のケーブル用コネクタの場合、狭ピッチでシグナル・グランドが交互に配列され、しかも結線部分が金属部を挟み込む構造であるため、信号の流れる面積が広くなってしまうことによりインピーダンスが低くなって挿入損失が大きくなってしまうという問題がある他、例えばコンタクトが変形されていたり、金属部に形状ムラがあってそれらの結線部分がまちまちな不規則形状であると接続固定状態が不安定になって接続不良を起こしたり、或いはコンタクトの抜け止め対策が図られていない構造であることによりケーブルに引っ張り力が加えられるような使用状況下ではコンタクトが抜けてしまう危険性があるため、必ずしも安定した接続固定を図り得るものでなく、コンタクトの抜け止め対策も十分でないという基本構造上の問題もある。
【０００６】
本発明は、このような問題点を解決すべくなされたもので、その技術的課題は、コンタクト及びケーブルの芯線の接続固定時にインピーダンスが低下されず、十分に安定した結線機能及び抜け止め機能が得られる構造のコネクタを提供することにある。
【課題を解決するための手段】
【０００７】
本発明によれば、コンタクトを保持するハウジングに対してケーブルを保持するインシュレータを組み付けた状態で該コンタクトに該ケーブルの芯線が接続固定される構造のコネクタにおいて、コンタクトは、ハウジングの開口部内に露呈されるように配備されて相手側コネクタとの接続に供される接触部と、インシュレータ先端側の開口部内に配備されてケーブルの芯線との接続に供される結線部とを有し、インシュレータは、ケーブルの長さ方向に沿った側面方向における断面形状が略コ字状に突出するように形成されて該ケーブルの芯線が該略コ字状部分の壁面に沿うように配設されるインシュレータ先端側の開口部としての溝部を有し、コンタクトにおける結線部は、溝部の壁面に沿うように延在してケーブルの芯線と接触されるように略コ字状に形成されると共に、該略コ字状部分における対向する辺部の少なくとも一方に内側に向いた凸部を有し、インシュレータにおける溝部の壁面は、結線部における凸部の対応する箇所にケーブルの芯線の局部を変形接触させる凹部を有するコネクタが得られる。
【０００８】
又、本発明によれば、上記コネクタにおいて、コンタクトにおける結線部の対向する辺部にあっての凸部を有する方は弾性を有することにより、該結線部とインシュレータにおける溝部の壁面との間でケーブルの芯線を挟持する構造であるコネクタが得られる。
【０００９】
一方、本発明によれば、コンタクトを保持するハウジングに対してケーブルを保持するインシュレータを組み付けた状態で該コンタクトに該ケーブルの芯線が接続固定される構造のコネクタにおいて、コンタクトは、ハウジングの開口部内に露呈されるように配備されて相手側コネクタとの接続に供される接触部と、インシュレータ先端側の開口部内に配備されてケーブルの芯線との接続に供される結線部とを有し、インシュレータは、ケーブルの長さ方向に沿った側面方向における断面形状が略コ字状に突出するように形成されて該ケーブルの芯線が該略コ字状部分の壁面に沿うように配設されるインシュレータ先端側の開口部としての溝部を有し、コンタクトにおける結線部は、溝部の壁面に沿うように延在してケーブルの芯線と接触されるように略コ字状に形成されると共に、該略コ字状部分における対向する辺部の少なくとも一方に内側に向いた凸部を有し、インシュレータにおける溝部の壁面は、結線部における凸部の対応する箇所にケーブルの芯線の局部を変形接触させる凹部を有するコネクタが得られる。
【００１０】
又、本発明によれば、上記コネクタにおいて、コンタクトにおける結線部の対向する辺部にあっての凸部を有する方は弾性を有することにより、該結線部とインシュレータにおける溝部の壁面との間でケーブルの芯線を挟持する構造であるコネクタが得られる。
【００１１】
更に、本発明によれば、上記何れか一つのコネクタにおいて、コンタクトは、ハウジングにおける該コンタクトの長さ方向に沿った側面に対して垂直な幅方向へ所定の間隔で並設される所定数のものから成り、ケーブルは、インシュレータにおける該ケーブルの長さ方向に沿った側面に対して垂直な幅方向へ芯線として所定数のものを所定の間隔で並設させて結合して成るフラットケーブルであるコネクタが得られる。
【００１２】
加えて、本発明によれば、上記コネクタにおいて、ハウジングは、コンタクトの所定数のものを長さ方向及び幅方向に対して垂直な背高方向で結線部の略コ字状部分における頂辺部同士が所定の間隔で対向するように２段構造として備えて成り、インシュレータは、フラットケーブルにおける所定数の芯線をそれぞれ溝部の壁面を区画するために幅方向に設けられた所定数のスリット片同士間に形成されるスリット内で該溝部の壁面に這わせるようにして長さ方向及び該幅方向に対して垂直な背高方向で対向させて保持すると共に、溝部同士の略コ字状部分における頂壁面同士が該背高方向で向き合わされて成る２層構造であるコネクタが得られる。
【００１３】
他方、本発明によれば、上記何れかのコネクタにおいて、ハウジングのインシュレータに対する組み付けは、所定数のコンタクトにおける結線部によりフラットケーブルにおける所定数の芯線をそれぞれ装着固定した後に外方へ露呈した状態の接触部を該ハウジングの所定箇所に設けられた挿入孔へそれぞれ圧入して行われるコネクタが得られる。
【発明の効果】
【００１４】
本発明のコネクタの場合、コンタクト及びケーブルの芯線の接続固定に際してインピーダンスが低下されずに挿入損失の低下が回避され、しかも安定した結線が可能で十分に抜け止めを図り得る構造となる。
【発明を実施するための最良の形態】
【００１５】
本発明の最良の形態に係るコネクタは、コンタクトを保持するハウジングに対してケーブルを保持するインシュレータを組み付けた状態でコンタクトにケーブルの芯線が接続固定される構造のものにおいて、コンタクトについては、ハウジングの開口部内に露呈されるように配備されて相手側コネクタとの接続に供される接触部と、インシュレータ先端側の開口部内に配備されてケーブルの芯線との接続に供される結線部とを有するようにし、インシュレータについては、ケーブルの長さ方向に沿った側面方向における断面形状が略コ字状に突出するように形成されてケーブルの芯線が略コ字状部分の壁面に沿うように配設されるインシュレータ先端側の開口部としての溝部を有するようにし、更にコンタクトにおける結線部については、溝部の壁面に沿うように延在してケーブルの芯線と接触されるように略コ字状に形成されると共に、略コ字状部分における対向する辺部の少なくとも一方に内側に向いた凸部（或いは凹部）を有するようにし、インシュレータにおける溝部の壁面については、結線部における凸部（凹部）の対応する箇所にケーブルの芯線の局部を変形接触させる凹部（或いは凸部）を有するようにしたものである。
【００１６】
但し、このコネクタの場合、コンタクトにおける結線部における対向する辺部にあっての凸部（或いは凹部）を有する方は弾性を有することにより、結線部とインシュレータにおける溝部の壁面との間でケーブルの芯線を挟持する構造であることが好ましい。
【００１７】
以下は、実施例を挙げ、本発明のコネクタについて、図面を参照して具体的な説明する。
【実施例】
【００１８】
図１は、本発明の実施例に係るコネクタ１０を含む接続構造全体を示したもので、同図（ａ）は右側面方向からの側面図に関するもの，同図（ｂ）は中途部分を破断した平面図に関するもの，同図（ｃ）は中途部分を破断した正面図に関するものである。図２は、図１（ｂ）中のＡ−Ａ線方向に沿った側面要部における断面図であり、図３は、図２の構造において相手側コネクタとの接続状態を示した断面図であり、図４は、図２の一部を拡大して示した断面図である。
【００１９】
各図を参照すれば、このコネクタ１０は、所定数の芯線２ａを剥き出し状態にしたフラットケーブル２の両端側を接続保持した一対のものから成っており、各コネクタ１０については、所定数のコンタクト１を保持するハウジングとしてのベースインシュレータ３に対してフラットケーブル２を保持するカバーインシュレータ４をネジやスプリングピン等の固定部材５によりそれぞれ組み付けた状態で各コンタクト１にフラットケーブル２の各芯線２ａが接続固定される構造となっている。
【００２０】
但し、ここでの各コネクタ１０の単体について、各コンタクト１は、ベースインシュレータ３の開口部内に露呈されるように配備されて相手側コネクタ２０との接続に供される接触部１ａと、カバーインシュレータ４の先端側の開口部内に配備されてフラットケーブル２の各芯線２ａとの接続に供される結線部１ｂとを有しており、カバーインシュレータ４は、フラットケーブル２の長さ方向に沿った側面方向における断面形状が略コ字状に突出するように形成されてフラットケーブル２の各芯線２ａが略コ字状部分の壁面に沿うように配設される開口部としての所定数の溝部６を有している。尚、相手側コネクタ２０は、ボードに装着された各コンタクトがカバーインシュレータ４の先端側の開口部内に挿入され、この状態で各コンタクトの突出部分が各コンタクト１の接触部１ａを外方側へ弾性的に押圧して嵌合接続されるようになっている。
【００２１】
このうち、各コンタクト１における結線部１ｂは、各溝部６の壁面に沿うように延在してフラットケーブル２の各芯線２ａと接触されるように略コ字状に形成されると共に、これらの略コ字状部分における対向する辺部に内側に向いた凸部１ｃ（少なくとも対向する辺部の一方側に設けられていれば良いものである）を有し、カバーインシュレータ４における各溝部６の壁面は、各結線部１ｂにおける凸部１ｃの対応する箇所にフラットケーブル２の各芯線２ａの局部を変形接触させる凹部４ａをそれぞれ有している（凹部４ａも凸部１ｃに対応する一箇所であっても良い）。即ち、各コンタクト１における略コ字状の結線部１ｂにおける対向する辺部（凸部１ｃが形成されている）は弾性を有しており、この結線部１ｂとカバーインシュレータ４における溝部６の壁面との間でフラットケーブル２の各芯線２ａを挟持することによって接続保持できる構造となっている。
【００２２】
又、ここでの各コネクタ１０の単体の場合、各コンタクト１については、ベースインシュレータ３における各コンタクト１の長さ方向に沿った側面に対して垂直な幅方向へ所定の間隔で並設され、フラットケーブル２については、カバーインシュレータ４におけるフラットケーブル２の長さ方向に沿った側面に対して垂直な幅方向へ芯線２ａの所定数のものを絶縁材で覆った上で所定の間隔で並設させて結合して成っている。尚、図４中には芯線２ａを覆った内被部２ｂを示しているが、フラットケーブル２自体の細部構造については後述する。
【００２３】
更に、ここでの各コネクタ１０の単体の場合、ベースインシュレータ３は、各コンタクト１を長さ方向及び幅方向に対して垂直な背高方向で結線部１ｂの略コ字状部分における頂辺部同士が所定の間隔で対向するように２段構造として備えて成っている。尚、上述した相手側コネクタ２０においても、各コンタクトがコネクタ１０の背高方向で２段構造として備えられている。
【００２４】
加えて、ここでの各コネクタ１０の単体の場合、カバーインシュレータ４については、各溝部６の壁面を区画するために幅方向に設けられた所定数のスリット片同士間に形成されたスリット（櫛歯状である場合を例示できる）内でフラットケーブル２における各芯線２ａを各溝部６の壁面に這わせるようにして長さ方向及び幅方向に対して垂直な背高方向で対向させて保持すると共に、溝部６同士の略コ字状部分における頂壁面同士が背高方向で向き合わされて成る２層構造となっている。尚、フラットケーブル２における被覆剥きされた部分の各芯線２ａとは反対側の各内被部２ｂから隔てられたテープ２ｅの中途箇所は、クランプ７を介在させてカバーインシュレータ４に押圧されて変形して固定されるもの（詳細は後述する）である。
【００２５】
図５は、上述した図１（ｂ），（ｃ）に示される各コネクタ１０の接続固定に供されるフラットケーブル２の細部構造を各芯線２ａの配列方向に沿って示した断面図である。
【００２６】
図５を参照すれば、フラットケーブル２自体は、誘電体による内被部２ｂで覆われた信号伝送用の正極，負極に係る一対の芯線２ａとグランド伝送用のドレイン線２ａ′との３本をアルペット２ｃで囲み、更にこれを外被部２ｄで覆った構造の所定数のものを並設して結合し、その所定領域をテープ２ｅ等を貼り付けて接続保持に供される部分として補強固定して成るものである。
【００２７】
図６は、同様に接続加工済みのフラットケーブル２の外観構造を示したもので、同図（ａ）は中途部分を破断して加工の様子を示した正面図に関するもの，同図（ｂ）は一部を破断して長手方向に沿った要部の切断の様子を示した正面図に関するものである。
【００２８】
図６（ａ），（ｂ）を参照すれば、このようなフラットケーブル２を図１（ｂ），（ｃ）に示したように各コネクタ１０への接続に供する場合、先ず図６（ａ）に示されるように並設結合された外被部２ｄの所定箇所であって、接続保持に供される両端側とする部分に対してテープ２ｅを貼り付けて補強固定しておき、その外側において所定の寸法で外被部２ｄ及びアルペット２ｃを剥がして内被部２ｂを露呈させ、更にその局所において所定の寸法で芯線２ａ，ドレイン線２ａ′を剥き出し状態（但し、内被部２ｂの露呈部分の両端側を一部残すようにする）にしておいた後、図６（ｂ）に示されるようにテープ２ｅを貼り付けた部分の中途箇所を局部的に屈曲加工すると共に、芯線２ａ，ドレイン線２ａ′を適当な寸法で切断するようにし、こうした状態をフラットケーブル２の両端に形成しておけば良い。尚、ここでのフラットケーブル２は、前述したツインナックス・ドレイン付きタイプのもので、芯線２ａ及びドレイン線２ａ′を含むものであるが、他の説明部分ではドレイン線２ａ′が芯線２ａに含まれるものとして図示及び説明を省略する。
【００２９】
図７は、上述した各コネクタ１０の組み立て手順の初期工程を示したもので、カバーインシュレータ４に対するフラットケーブル２の組み付け状態の様子を示した要部の側面断面図である。
【００３０】
ここでは、各コネクタ１０の単体の組み立てに際して、初期工程として、カバーインシュレータ４の各溝部６に対して先の図６（ｂ）に示したような切断前状態のフラットケーブル２の各芯線２ａが剥き出しになった部分をそれぞれ這わせ、同時にテープ２ｅの略中央部分にはクランプ７を押圧してカバーインシュレータ４の所定箇所に引っ掛け固定することでテープ２ｅの中途部分を凹み変形された状態で固定し、その後に各芯線２ａを適当な寸法で切断するようにすれば良いことを示している。
【００３１】
図８は、上述した各コネクタ１０の組み立て手順の中期工程を示したもので、フラットケーブル２が組み付けられたカバーインシュレータ４に対する各コンタクト１の組み付け状態の様子を示したもので、同図（ａ）は要部の側面断面図に関するもの，同図（ｂ）は一部破断した斜視図に関するものである。
【００３２】
ここでは、引き続く中期工程として、カバーインシュレータ４の略コ字状の各溝部６を区画する壁面である各スリット片４ｂ同士の間に形成された櫛歯状の各スリットに這わされたフラットケーブル２の各芯線２ａに対して各コンタクト１の略コ字状の結線部１を治具等を用いてそれぞれ押し込んで挟持させて嵌合接続して固定する様子を示している。このとき、各コンタクト１における結線部１ｂの対向する弾性を有する辺部に形成された凸部１ｃがカバーインシュレータ４における各溝部６の壁面に形成された凹部４ａに食い込むようにフラットケーブル２の各芯線２ａを変形させて挟持するため、ここでは接続固定状態が安定して保持される。尚、実際の各コンタクト１の組み付け状態では、図８（ａ）に示されるようにキャリア付きの接触部１ａが結線部１とは反対側の外方へそれぞれ突出した状態となるが、このキャリア１ｄについては組み付け後には図８（ｂ）に示されるように切除されるものである。
【００３３】
図９は、上述した各コネクタ１０の組み立て手順の後期工程を示したもので、各コンタクト１が組み付けられたカバーインシュレータ４のベースインシュレータ３に対する組み付け状態の様子をベースインシュレータ３の一部破断して示した要部の側面断面図である。
【００３４】
ここでは、引き続く後期工程として、各コンタクト１が組み付けられた状態のカバーインシュレータ４について、各溝部６の略コ字状部分における頂壁面同士、並びに各コンタクト１の結線部１ｂの略コ字状部分における頂辺部同士が背高方向で向き合されると共に、クランプ７同士が背高方向で付き合わされるように図８（ｂ）に示した状態の部品を上下重ね合わせて２層構造としたものに対し、各コンタクト１のピン状の接触部１ａを挿入するための挿入孔３ａが背高方向で２段構造として設けられたベースインシュレータ３を各挿入孔３ａに各コンタクト１の接触部１ａが挿入されるように押し込んで圧入し、嵌合装着させて組み付けを行うことを示している。このとき、各コンタクト１は、各芯線２ａをカバーインシュレータ４に押し付けることになるため、抜け止め防止効果が増大する。
【００３５】
即ち、上述した各コネクタ１０の単体の組み立ては、こうした組み付け手順で行えば良いもので、簡略すればハウジングとしてのベースインシュレータ３のカバーインシュレータ４に対する組み付けは、各コンタクト１における結線部１ｂによりフラットケーブル２における各芯線２ａをそれぞれ装着固定した後、外方へ露呈した状態の接触部１ａをベースインシュレータ３の所定箇所に設けられた挿入孔３ａへそれぞれ圧入して行えば良いものである。尚、こうした組み付けは、フラットケーブル２の残りの端側に対しても行われ、その結果として図１（ｂ），（ｃ）に示したような接続構造が得られることになる。
【００３６】
本実施例では、図８（ｂ）の状態にした後、図９に示すようにしてコネクタを組み立てたが、ベースインシュレータ３にコンタクト１を組み込んだ後、図７に示す状態のものをベースインシュレータ３に保持されたコンタクト１に組み込んでコネクタを組み立てるようにしても良い。
【００３７】
係る構造のコネクタ１０の場合、２枚のフラットケーブル２における各芯線２ａをカバーインシュレータ４に形成した略コ字状の各溝部６の壁面に這わせ、各コンタクト１における略コ字状の結線部１ｂにより各芯線２ａを溝部６の壁面との間で挟持して接続するとき、弾性を有する結線部１ｂに形成された凸部１ｃがカバーインシュレータ４における溝部６の壁面に形成された凹部４ａに食い込むように芯線２ａの局部を変形させて嵌合接続保持される構造であるため、特許文献１や特許文献２のように結線部分に金属部を挟まないことによりインピーダンスが低下されずに挿入損失が回避され、安定した結線が可能で各コンタクト１については十分な抜け止め機能が得られるものとなる。
【００３８】
尚、本実施例では、コンタクト１に凸部１ｃを設け、カバーインシュレータ４に凹部４ａを設けた場合を説明したが、この関係が逆な場合、即ち、図１０に示されるようにコンタクト１′に凹部を設け、カバーインシュレータ４′に凸部を設けた構造としても、本実施例で説明した場合と同等な機能が得られる。
【図面の簡単な説明】
【００３９】
【図１】本発明の実施例に係るコネクタを含む接続構造全体を示したもので、（ａ）は右側面方向からの側面図に関するもの，（ｂ）は中途部分を破断した平面図に関するもの，（ｃ）は中途部分を破断した正面図に関するものである。
【図２】図１（ｂ）中のＡ−Ａ線方向に沿った側面要部における断面図である。
【図３】図２の構造において相手側コネクタとの接続状態を示した断面図である。
【図４】図２の一部を拡大して示した断面図である。
【図５】図１（ｂ），（ｃ）に示される各コネクタの接続固定に供されるフラットケーブルの細部構造を各芯線の配列方向に沿って示した断面図である。
【図６】図５で説明した接続加工済みのフラットケーブルの外観構造を示したもので、（ａ）は中途部分を破断して加工の様子を示した正面図に関するもの，（ｂ）は一部を破断して長手方向に沿った要部の切断の様子を示した正面図に関するものである。
【図７】図１（ｂ），（ｃ）に示される各コネクタの組み立て手順の初期工程を示したもので、カバーインシュレータに対するフラットケーブルの組み付け状態の様子を示した要部の側面断面図である。
【図８】図１（ｂ），（ｃ）に示される各コネクタの組み立て手順の中期工程を示したもので、フラットケーブルが組み付けられたカバーインシュレータに対する各コンタクトの組み付け状態の様子を示したもので、（ａ）は要部の側面断面図に関するもの，（ｂ）は一部破断した斜視図に関するものである。
【図９】図１（ｂ），（ｃ）に示される各コネクタの組み立て手順の後期工程を示したもので、各コンタクトが組み付けられたカバーインシュレータのベースインシュレータに対する組み付け状態の様子をベースインシュレータの一部破断して示した要部の側面断面図である。
【図１０】本発明の実施例に係るコネクタの要部を変形した場合の基本構造を示した側面断面図である。
【符号の説明】
【００４０】
１，１′  コンタクト
１ａ  接触部
１ｂ  結線部
１ｃ  凸部
１ｄ  キャリア
２  フラットケーブル
２ａ  芯線
２ａ′  ドレイン線
２ｂ  内被部
２ｃ  アルペット
２ｅ  テープ
２ｄ  外被部
３  ベースインシュレータ（ハウジング）
３ａ  挿入孔
４，４′  カバーインシュレータ
４ａ  凹部
４ｂ  スリット片
５  固定部材
６  溝部
７  クランプ
【図１】
2008077952.tif 000003
【図２】
2008077952.tif 000004
【図３】
2008077952.tif 000005
【図４】
2008077952.tif 000006
【図５】
2008077952.tif 000007
【図６】
2008077952.tif 000008
【図７】
2008077952.tif 000009
【図８】
2008077952.tif 000010
【図９】
2008077952.tif 000011
【図１０】
2008077952.tif 000012